(57)【特許請求の範囲】
【請求項１】
短管状体の傾斜した管口に開閉可能な揺動弁体を設け且つ該揺動弁体を閉鎖方向に付勢するバランスウエイトを設けると共に上端部には径方向外方に張出したフランジ部を形成した弁トラップユニットと、耐水性若しくは低吸水性の弾性材料からなり、排水管の導入部に外嵌可能な円孔を中心部に貫通した肉厚の円筒状をなし、且つ、該円孔の上端部に前記弁トラップユニットのフランジ部を嵌合固定する段部を形成したアダプタとからなることを特徴とする排水用トラップ。
【請求項２】
短管状体の傾斜した管口に開閉可能な揺動弁体を設け且つ該揺動弁体を閉鎖方向に付勢するバランスウエイトを設けると共に上端部には径方向外方に張出したフランジ部を形成した弁トラップユニットを排水口下側の小凹部内に突出している排水管の導入部に取付ける取付方法において、
耐水性若しくは低吸水性の弾性材料からなり、円孔を中心部に貫通した肉厚の円筒状をなし、且つ、該円孔の上端部に前記弁トラップユニットのフランジ部を嵌合固定する段部を形成したアダプタを、前記排水管の導入部に外嵌固定した後、該アダプタの周囲と前記排水口小凹部との隙間にコーキング材を充填し、次いで、アダプタ中心部円孔の段部に前記弁トラップユニットを嵌合固定する排水用トラップの取付方法。
【発明の詳細な説明】
【０００１】
【発明の属する技術分野】
本発明は排水用トラップに関する。
【０００２】
【従来の技術】
従来、排水管には出口側からの悪臭や害虫等の侵入を防止する目的でＳ字トラップや椀形トラップが設けられていたが、これらは排水経路の折曲部分に溜った排水の封鎖作用を利用するものであるため、折曲部分に常に一定量の排水が残留する上、固形物等が詰まり易い問題等を有していた。
【０００３】
そこで、Ｓ字トラップや椀形トラップに代わり、揺動弁体にバランスウエイトを設け、排水が無い時はバランスウエイトによって揺動弁体を閉鎖し、排水時には該排水の重量或いは流水圧で弁体を開く弁トラップ（メカニカルトラップ）が開発されている（特許文献１，２参照）。このれらのうち、特許文献２の弁トラップは、主に椀形トラップの代替品として排水口の導入部に取り付けるものであり、フランジ部を段付き円錐形にして種々の口径の排水管に対応可能としている。この弁トラップを排水口下側の小凹部内に突出している排水管の導入部に取付ける際には、トラップの周囲に排水が残留しないよう、コーキング材を充填するが、排水管の突出量が大きい場合には、コーキング材の使用量も多くなる。そこで、突出した排水管を除去する場合もあるが、周囲がコンクリートの粗面である場合平坦にする必要があり、いずれの場合にも施工に手間を要した。
【０００４】
【特許文献１】
意匠登録第７１４２２１号公報
【特許文献２】
意匠登録第１０４７８５７号公報
【０００５】
【発明が解決しようとする課題】
本発明は従来の技術の上記の点に鑑みて、排水口下側の小凹部内に突出している排水管の導入部に容易に取付けることができる排水用トラップとその取付方法を提供することを目的としてなされたものである。
【０００６】
【課題を解決するための手段】
上記目的を達成するために、本発明の排水用トラップでは、短管状体の傾斜した管口に開閉可能な揺動弁体を設け且つ該揺動弁体を閉鎖方向に付勢するバランスウエイトを設けると共に上端部には径方向外方に張出したフランジ部を形成した弁トラップユニットと、耐水性若しくは低吸水性の弾性材料からなり、排水管の導入部に外嵌可能な円孔を中心部に貫通した肉厚の円筒状をなし、且つ、該円孔の上端部に前記弁トラップユニットのフランジ部を嵌合固定する段部を形成したアダプタとからなる排水用トラップを構成した。
【０００７】
そして、上記弁トラップユニットを排水口下側の小凹部内に突出している排水管の導入部に取付けるに際して、上記アダプタを、前記排水管の導入部に外嵌固定した後、該アダプタの周囲と前記排水口小凹部との隙間にコーキング材を充填し、次いで、アダプタ中心部円孔の段部に前記弁トラップユニットを嵌合固定する排水用トラップの取付方法を採用した。
【０００８】
【発明の実施の形態】
図１及び図２に本発明実施形態の排水用トラップ１を示す。図において、排水用トラップ１は、弁トラップユニット２と、該弁トラップユニット２を排水管１１の導入部１２に取付けるに際に使用するアダプタ３より構成されている。
【０００９】
弁トラップユニット２は、短円筒体の下半分を斜に切除した形状をなす短管状体２１の傾斜した管口２２に開閉可能な揺動弁体２３を設けてなる。管口２２には、上端側を部分的に閉鎖する張出片２４を形成し、その両側に下方に突出した一対の突起２５，２５を設け、該突起２５，２５に渡設した支軸２６に揺動弁体２３は揺動自在に支持されている。
【００１０】
揺動弁体２３は、外形状が前記傾斜した管口２２と同形状の略楕円形状をなす弁主体部２３１とそれに連なる平板状の錘保持部２３２とで構成され、該錘保持部２３２にはバランスウェイト２７を固定している。また錘保持部２３２は弁主体部２３１に対して屈折して連設され、屈折部分には前記支軸２６を挿通する軸受部２３３を形成している。また、短管状体２１の上端部には径方向外方に張出したフランジ部２８を形成している。
【００１１】
アダプタ３は、耐水性若しくは低吸水性の弾性材料からなり、排水管１１の導入部１２に外嵌可能な円孔３１を中心部に貫通した肉厚の円筒状をなし、且つ、該円孔３１の上端部に前記弁トラップユニット２のフランジ部２８を嵌合固定する段部３２を形成してなる。アダプタ３を構成する耐水性若しくは低吸水性の弾性材料は、素材自体の弾性を利用して排水管１１の導入部１２に外嵌可能な適度な弾性と、排水に浸漬される環境での使用に耐え、且つ、コーキング材の代用となリ得る適度な耐水性（低吸水率）の素材を用いる。
【００１２】
実施形態の排水用トラップ１では、上記低吸水性の弾性材料として吸水率０．０２％の発泡ポリウレタンを使用した。吸水率がゼロでなくて良い理由は、椀形トラップの場合と異なり排水管１１の周囲に基本的に排水が残留せず、短時間の内に排出されるためである。尚、耐水性（低吸水率）の素材を用いる代わりに、吸水性の発泡材の表面に耐水性の塗膜を形成しても良い。
【００１３】
そして、排水用トラップ１（弁トラップユニット２）を、排水口１３（目皿）の下側の小凹部１４内に突出している排水管１１の導入部１２に取り付けるに際しては、先ず、アダプタ３を素材自体の弾性を利用して排水管１１の導入部１２に外嵌して固定した後、アダプタ３の周囲の小凹部１４との隙間にコーキング材１５を充填し、次いで、アダプタ中心部円孔３１の段部３２に弁トラップユニット２のフランジ部２８を嵌合固定する。
【００１４】
この際、小凹部１４からの排水管導入部１２の突出量が異なっても、アダプタ３の弾性変形により確実に固定できる。また、排水管導入部１２周囲の隙間が極端に小さい場合にも、アダプタ３の弾性変形により圧入でき、或いは、アダプタ３の周囲を適宜切除しても良い。
【００１５】
また、弁トラップユニット２は、アダプタ３の段部３２に嵌合されているのみであるから、弁トラップユニット２のみを取り外して清掃やメンテナンスを行うことができる。更に、排水管１１の口径に応じた複数種のアダプタ３を用意しておけば、アダプタ３のみを交換することにより一つの弁トラップユニット２で口径の異なる排水管１１に対応でき、コスト削減にもなる。
【００１６】
【発明の効果】
本発明排水用トラップは、上述の通り、短管状体の傾斜した管口に開閉可能な揺動弁体を設け且つ該揺動弁体を閉鎖方向に付勢するバランスウエイトを設けると共に上端部には径方向外方に張出したフランジ部を形成した弁トラップユニットと、耐水性若しくは低吸水性の弾性材料からなり、排水管の導入部に外嵌可能な円孔を中心部に貫通した肉厚の円筒状をなし、且つ、該円孔の上端部に前記弁トラップユニットのフランジ部を嵌合固定する段部を形成したアダプタとで排水用トラップを構成したので、弁トラップユニットを排水口下側の小凹部内に突出している排水管の導入部に容易に取付けることができ、且つ、部品点数も少なく安価に構成できる。
【００１７】
また、上記弁トラップユニットを排水口下側の小凹部内に突出している排水管の導入部に取付けるに際して、上記アダプタを、前記排水管の導入部に外嵌固定した後、該アダプタの周囲と前記排水口小凹部との隙間にコーキング材を充填し、次いで、アダプタ中心部円孔の段部に前記弁トラップユニットを嵌合固定する排水用トラップの取付方法を採用したので、弁トラップユニットを排水管の導入部に容易に取付けることができ、且つ、コーキング材の使用量を節約できる。
【００１８】
また、上記弁トラップユニットは、アダプタの段部に嵌合されているのみであるから、取付け後も弁トラップユニットのみを取り外して清掃やメンテナンスを行うことができる。
【図面の簡単な説明】
【図１】本発明実施形態の排水用トラップの取付け状態を示す側断面図である。
【図２】本発明実施形態の排水用トラップの分解状態を示す斜視図である。
【符号の説明】
１  排水用トラップ
２  弁トラップユニット
３  アダプタ
１１  排水管
１２  導入部
１３  排水口
１４  小凹部
１５  コーキング材
２１  短管状体
２２  管口
２３  揺動弁体
２７  バランスウエイト
２８  フランジ部
３１  円孔
３２  段部
【図１】
0003637493.tif 000002
【図２】
0003637493.tif 000003